(57)【要約】      （修正有）【課題】積み重ね、分離、配置変更がワンタッチで容易に行える装飾枠体及び照明器具を提供する。【解決手段】透かし彫りを四面に施した、平面視において略正方形状の枠本体を基台に載置する。枠本体と平面が同一サイズ及び同一形状のジョイント枠体の四隅内側にＬ字型コーナー部材を取り付ける。コーナー部材の幅をジョイント枠幅より長く形成し、コーナー部材の両端部をジョイント枠体の上下端より突出させる。基台に載置した下の枠本体の上部四隅にコーナー部材下端部を嵌合し、上部端部に上に積み重ねる枠本体の四隅を嵌入、保持する。ジョイント枠体と枠本体の面を揃えて積み重ねる直列連結だけでなく、ジョイント枠体を４５度回転させた状態でも枠本体を連結できる。また、基台に光源を取り付けて装飾枠体を利用した照明器具を形成する。枠本体の内側に和紙、合成樹脂材シート等を内貼りする。【選択図】図１
0003156951.tif 000002
【実用新案登録請求の範囲】
【請求項１】
透かし彫りを施した四面から成る、平面視が略正方形である、一又は二以上の枠本体と、
一段目の枠本体を載置、支持する係止手段を有する基台と、
枠本体を連結する、平面視が略正方形のジョイント枠体とから構成され、
ジョイント枠体の上下周縁から突出するように、Ｌ字型コーナー部材の幅をジョイント枠体幅より長く形成してジョイント枠体の四隅に一体的に取り付けたことを特徴とする、装飾的枠体。
【請求項２】
ジョイント枠体の一又は二以上の面に穴を穿設したことを特徴とする請求項１の装飾的枠体。
【請求項３】
枠本体に内貼りを施したことを特徴とする請求項１又は請求項２の装飾枠体。
【請求項４】
請求項１ないし請求項３の装飾的枠体に光源を備え付けた照明器具。
【考案の詳細な説明】
【技術分野】
【０００１】
この考案はジョイントを介して積み重ね可能な装飾品、また、これに光源を備えた照明器具に関するものである。
【背景技術】
【０００２】
使用者の好みや使用場所に応じて形態を容易に変更できる室内装飾品や照明器具として特許文献１記載の発明がある。
【０００３】
この発明は多数の類似形状を積み重ねて形成され、積み重ね両端に位置する枠体内部に形成した桟同士を結び、積み重ねた枠体の中に収容される緊縛具によって積み重ねた形態を保持するものである。しかしながら、緊縛具によって直接接続されているのは積み重ね両端の二つの枠体のみであり、間に積み重ねられた多数の枠体は互いの面接触によって生じる摩擦力によって形態を維持している。すなわち、一つの枠体に大きな外力が加わり抜け落ちるともはや当初の形態を保持することは不可能で、枠全体が崩壊するおそれがある。
【０００４】
次に商品販売用ディスプレー用ジョイントラックの発明がある（特許文献２）。
この発明は二枚以上のトレイ本体と４本以上の凸湾支柱から構成され、トレイの周辺部に起立形成された周壁部の四隅内面に設けた案内溝に凸湾支柱を嵌入立設し支柱上部に別のトレイを積み重ねて組み立てるものである。しかしながら、組み立てには４本の支柱をそれぞれトレイの四隅に嵌入する作業が必要となり、分解にも同様手間がかかる。
【先行技術文献】
【特許文献】
【０００５】
【特許文献１】特開２００７−１７３１９０号公報
【特許文献２】特開２００８−２５８０００号公報
【考案の概要】
【考案が解決しようとする課題】
【０００６】
そこで、本考案ではジョイント枠体を介しての同一の形状、大きさの枠本体の連結積み重ね、取り外しがワンタッチで容易に行え、なおかつジョイント枠体を４５度回転させた状態での枠本体の積み重ねも可能にして、積み重ね態様の自由度を向上させた装飾的枠体及び枠本体内部に光源を具備した照明器具を提供することを目的とするのである。
【課題を解決するための手段】
【０００７】
そこで、本考案の請求項１では四面に透かし彫り模様を施した、平面視が略正方形である枠本体を基台に載置して基台に設けた係止手段でこれを支持する。
【０００８】
次に、枠本体上部に、枠本体と同一サイズの平面視が略正方形のジョイント枠体を嵌入し、ジョイント枠体上部に別の枠本体を積み重ねて装飾的枠体を形成するのである。ジョイント枠体の四隅には連結部材となるＬ字型コーナー部材が取り付けられている。
【０００９】
当該コーナー部材の幅はジョイント枠体の幅より長く形成されているため、コーナー部材の両端部はジョイント枠体の上下周縁より突出しており、当該突出部に上に積み重ねる枠本体の四隅を嵌合して保持するのである。
【００１０】
次に、請求項２記載の装飾的枠体では、構成部材の一つであるジョイント枠体の一又は
二以上の面に穴を穿設するのである。
請求項３記載の考案では透かし彫り模様を施した枠本体の内側に紙、合成樹脂材、布等で内貼りを行うのである。
【００１１】
最後に請求項４記載の考案では枠本体を載置する基台に電球、ろうそく、ＬＥＤなどの光源を備え付けて請求項１ないし請求項３の装飾的枠体を利用した照明器具とするのである。
【考案の効果】
【００１２】
１、使用者の好みに合わせて複数の枠本体を積み重ねることができ、しかもワンタッチで積み重ね、分離、配置変更が可能で、しかも分離収納時にはかさばらず便利である。枠本体を構成する四つの面にはそれぞれ模様が形成されており、枠本体の積み重ね順序を変更したり、枠本体の連結面を変更したり、枠本体の配置変更を行うことで飽きのこない、インテリア性に優れた装飾品を提供することができる。
【００１３】
２、枠本体及びジョイント枠体が同一サイズの、同一形状、すなわち、平面視において同一寸法の略正方形に形成されているため、枠本体それぞれの面を揃えて積み重ねることも、ジョイント枠体を４５度回転させて上下の枠本体をずらして積み重ねることもできる。
【００１４】
３、ジョイント部材に一体的に形成したコーナー部材が水平方向への移動を規制するため安定的に複数の枠本体を積み重ね可能である。一方、鉛直方向へは容易に取り外し可能で、組み立て、分解、及び配置変更作業が非常に簡単に行える。
【００１５】
４、枠本体内に光源を備えると透かし彫りされた模様が影絵のごとく壁等に映しだされて高い演出効果を有する照明器具となる。また、和紙等の不透光性素材を内貼りすると遮光された柔らかな光が漏光する、和室等に好適な照明器具となるのである。
【００１６】
５、使用する素材によって屋内外を問わずに使用でき、屋内外のオブジェあるいは室内照明器具、庭園灯等応用範囲が広い。
【００１７】
６、接続にボルトや緊縛具等を不要とし、ジョイント枠体そのものも全体の美感を損なうことなく連結具としての機能を発揮する。
【図面の簡単な説明】
【００１８】
【図１】基台に載置した枠本体の上にジョイント枠を積み重ねる様子を示す説明図。
【図２】基台の斜視図。
【図３】ジョイント枠の斜視図。
【図４】ジョイント枠の他の実施形態を示す斜視図。
【図５】基台に載置した枠本体の上に図４のジョイント枠を連結した状態を示す斜視図。
【図６】図５のジョイント枠を４５度回転した状態で連結した状態を示す斜視図。
【図７】基台に電球ソケットを備え付けた状態を示す斜視図。
【図８】基台の他の実施形態を示す斜視図。
【図９】枠本体の面を揃えて積み重ねた状態を示す説明図。
【図１０】上下の枠体の面をずらして積み重ねた行燈の斜視図。
【考案を実施するための形態】
【００１９】
以下、本考案の具体的な実施形態について図面を参照しながら詳説する。
【００２０】
図１が基台１に載置した、透かし彫りを施した４つの面から構成される枠本体２の上方からジョイント枠３を嵌め込む様子を示す説明図である。枠本体２は平面視において略正方形状である。
【００２１】
基台１、枠本体２及びジョイント枠３は鉄、ステンレス等の金属製、各種木製、あるいは合成樹脂材製等あらゆる素材を使用することができる。この実施形態では基台が鉄製、枠本体はステンレス製でそれぞれ同じく、黒色の塗装加工を施しているが、基台と枠本体及びジョイント枠それぞれを異なる素材で製造する場合もある。
また、塗装を施さずにステンレス素材の硬質感を強調する場合もある一方であらゆる色に塗装可能で、表面に凹凸を生じさせる効果を奏する塗装材を使用することもある。
【００２２】
枠本体２の製造工程は以下のとおりである。
【００２３】
まず、各面に施すデザインを決定し、コンピューターに入力してこれを編集し、加工速度等を決定すると、データをレーザー加工機へ出力する。次にブレーキプレス機で曲げ加工を行って矩形状に形成すると共に、バリを除去する。続いて端面を溶接して枠体を完成させ、研磨機によって面取り等の仕上げ作業を行う。最後に塗装を施してから乾燥させるのである。
基台１は両端に略円形の接地部４を有する金属平板からなる一対の支持脚５−５を中央で十字型に組み合わせ、接合箇所を溶接固定して形成する（図２）。
【００２４】
支持脚５の両端部付近に略長方形状の突出部６を形成し、この突出部６が枠本体下部の四隅内面に接触固定され枠本体が基台上に保持される。
【００２５】
ジョイント枠３は枠本体と同サイズの平面視において略正方形状の枠体であって、四隅の内面にそれぞれＬ字型コーナー部材７を一体的に取り付ける。コーナー部材７の幅はジョイント枠３の幅より長めに形成されており、ジョイント枠３の周縁より上下に同寸法ずつ突出している（７ａ、７ｂ）。下部突出部７ｂが下の枠本体の四隅に嵌入してジョイント枠３は枠本体上部に安定した状態で載置される。ジョイント枠３のコーナー部材における上部突出部７ａに、上に重ねる枠本体の四隅を嵌合させるとコーナー部材がストッパとなってジョイント枠の水平方向への移動が規制され、安定して複数の枠本体を連結しながら積み重ねていくことができるのである。また、ジョイント枠は略正方形でコーナー部材の突出部寸法も同一であるため、ジョイント枠はどの面が正面ということがなく、また天地もないため連結作業が容易かつワンタッチで行える。
【００２６】
本考案にかかる装飾枠体及び照明器具は、枠本体とジョイント枠のサイズを同一にするとともに平面視において略正方形状に形成すれば足りるので、枠本体の面の形状は正方形でも長方形でもかまわず、サイズも大小変更可能である。
【００２７】
ジョイント枠の他の実施形態としては図４に示すようなジョイント枠８の各辺に横向きの略長方形状の穴８ａを設けたものがある。ジョイント枠自体の装飾性が高まるだけでなく、後述する枠本体内部に光源を備えて照明器具として使用する場合に、連結具であるジョイント枠の穴からも光がもれ、照明効果を高めるのである。ジョイント枠８の四隅には先述のとおりジョイント枠から上下に突出する突出部を有するＬ字型コーナー部材９が一体的に形成されている。
【００２８】
また、本願の枠本体及びジョイント枠体は平面視において略正方形状に形成されているため、図５に示すような、枠本体とジョイント枠体の面を揃えた連結方法だけでなく、この状態からジョイント枠を水平方向に４５度回転させ、コーナー部材９を枠本体の上部周縁２ａから突出させた状態で枠本体上部に載置する連結方法を選択することもできる（図
６）。
【００２９】
Ｌ字型コーナー部材９の両端部９ａ−９ａが枠本体の上部周縁２ａに当接するためジョイント枠８の水平方向への移動が規制され、ジョイント枠８上に他の枠本体を積み重ねてもこれを安定して保持可能である。
【００３０】
次に請求項３では枠本体内側に和紙等の紙類、合成樹脂材製シート、麻などの布等を裏打ちするのである。合成樹脂材は透明、半透明又有色であってもかまわない。和紙等も無地、色彩付き、地模様有り等多様な素材の使用が可能である。裏打ちを施すことで枠本体の強度が増し、また内部を塵埃から保護する機能も発揮する。さらに後述の照明器具として使用するときは裏打ちする素材によってさらに異なる効果をもたらすことが期待できる。裏打ちはシート状素材を枠本体の内側に接着材で貼着する方法や、フィルム状合成樹脂を熱接着する方法、テープで貼着するなど、内貼りする素材や表面に施された塗料の種類によって異なる。
【００３１】
次に上記装飾的枠体を利用した、請求項４に記載する照明器具の実施形態について説明する。
【００３２】
電球１４を備えた基台１０は、一対の平板状脚１１−１１が十字に交差する接合箇所に円盤状平板１２を溶接等で一体的に形成し、電球ソケット１３を取り付けたものである。豆球１４を備えた電球ソケット１３からはスイッチ１５を途中に設けたプラグコード１６が延設されている（図７）。
【００３３】
光源を取り付ける台の形状は円盤状平板に限定されるものではなく、他の実施形態として一例を図８に示すと、矩形状の平板１８の四方端縁を起立させて壁１９を形成し、平板には三か所穴を穿設する（図示せず）。一つの穴には電源ソケット２０から導出したプラグ２３を挿通し、残る二つにはネジ２２、２２で電源ソケット２０を平板１８に螺着固定する。
【００３４】
このように形成すると、電球２１を光源とすることもできるし、ドライバーでネジ２２をはずして電源ソケット２０を取り除くと、平板１８上にキャンドル等他の光源を直接載置することもできる。
【００３５】
また、周壁を形成しない平板にＬＥＤを備えた基盤をそのまま載置あるいは固着する方法も可能である。複数の小さなＬＥＤから成る光源はろうそくのごとき揺らぎ効果を奏する点滅を繰り返すものもあり、長寿命で安全かつ趣のある照明器具となる。
光源の種類はＬＥＤ、ろうそくなどを問わず、また、カラー電球であってもよい。
枠本体内部に光源を備えることで、非点灯時は室内装飾品として楽しめ、点灯時には照明具としての機能を発揮する。電球１４が点灯すると、透かし彫りが施された各面から光が漏れ、明かりとしての機能は勿論、また異なる趣をもつオブジェとしての優れたインテリア性を有するのである。
【００３６】
これは枠本体に内貼りが施されている場合も同様で、透明アクリル等が内貼りされている場合と和紙等が裏打ちされている場合での漏光状態は大きく異なる。透光性素材で内貼りすると、透かし彫り模様が壁面に反射して映し出され、不透光性素材を使用すると完全に遮断された柔らかな明かりとなり、和室等に適した落ち着いた情緒をもたらすのである。
【００３７】
さらに、トレイ状の別器具を備えてアロマオイルを焚き明かりとともに香りを楽しむことも可能である。
【００３８】
枠本体及びジョイント枠体等のサイズ展開も自由であるので、大小二つの枠体を内、外に重ねて飾ることもできる。たとえば内側に光源を備えた枠体を置き、その外側に内貼りをしない枠体を重ねると、外側の枠体から内側の枠体の模様がすかして見え、奥行き感が創出されて３Ｄ効果を有するインテリアとなるのである。
【００３９】
この照明器具に、横穴２４ａを四面に設けたジョイント枠２４を連結具として使用して図９のように上下の枠本体の面を揃えて直列連結すると、枠本体の各面及び上方、下方の開放面から光源の明かりがさすことは勿論、ジョイント枠２４の横穴２４ａからも光が漏れるのである。
【００４０】
また、ジョイント枠２６を４５度回転させて、上下の枠本体２７、２９をずらして連結した時は、さらに、枠体２７の解放された上部四隅２８からも明るく光が漏れ、また異なる美感を与えるのである（図１０）。
【００４１】
図１０の照明器具は下の枠本体２７とジョイント枠２６の面を揃えずに４５度回転させて連結させ、当該ジョイント枠２６のコーナー部材（図示せず）に上の枠本体２８の四隅を嵌合し連結したものであって、さらに上部に傘状の天井部材３０を載置して行燈風に形成したものである。
【００４２】
本願の製品は使用する素材あるいは、防水加工などを施すことで室内外を問わずに設置できる装飾品となりまた、備え付ける光源の素材によっても室内用照明器具としてだけでなく庭園灯やイルミネーションとしても使用できるのである。
さらに、内貼りする素材や機能によって様々な様相を呈する照明器具として多彩なバリエーション展開を可能とする。
【００４３】
需要者は完成された枠体や照明器具を直接購入することもできるし、ジョイント枠の種類、枠本体の模様、素材及びサイズ等をカタログ、ホームページ等に掲載されたバリエーションの中から自由に選択、組み合わせてオーダーして使用者の好みに合わせた装飾的枠体及び照明器具を得ることができる。
【００４４】
さらに、カタログ等に掲載されているデザインに限らず、枠本体に施す透かし彫りのデザインを景勝地の風景や寺院、花、動物など好みのモチーフでのフルオーダーも可能で、購入者の名前や、使用する店舗名など入れたオリジナルインテリアを得ることができるのである。
【産業上の利用可能性】
【００４５】
本考案は室内外を問わず使用できる装飾品であると共に、光源を備えることで照明器具としても利用可能である。
【符号の説明】
【００４６】
１、１０、１７、基台
５、１１、脚
２、２０、２２、枠本体
３、８、１７、１９、ジョイント枠
７、９、コーナー部材
８ａ、２４ａ、２６ａ、横穴
１４、２１、電球
３０、傘
【図１】
0003156951.tif 000003
【図２】
0003156951.tif 000004
【図３】
0003156951.tif 000005
【図４】
0003156951.tif 000006
【図５】
0003156951.tif 000007
【図６】
0003156951.tif 000008
【図７】
0003156951.tif 000009
【図８】
0003156951.tif 000010
【図９】
0003156951.tif 000011
【図１０】
0003156951.tif 000012
【手続補正書】
【提出日】平成21年11月16日(2009.11.16)
【手続補正１】
【補正対象書類名】実用新案登録請求の範囲
【補正対象項目名】請求項３
【補正方法】変更
【補正の内容】
【請求項３】
枠本体に内貼りを施したことを特徴とする請求項１又は請求項２の装飾的枠体。
【手続補正２】
【補正対象書類名】実用新案登録請求の範囲
【補正対象項目名】請求項４
【補正方法】変更
【補正の内容】
【請求項４】
請求項１ないし請求項３のいずれか１項に記載の装飾的枠体に光源を備え付けた照明器具。